(57)【要約】【課題】  画像の任意の領域を切り取って複数の画像を時系列的に合成する際に、４：２：２コンポーネント信号が切り取りタイミングによっては、切り換え境界の色が劣化する。また、合成する複数の画像の優先順位の制御が複雑となる。【解決手段】  合成される複数の映像信号である複数の４：２：２コンポーネント信号は、それぞれ４：４：４コンポーネント信号にデータフォーマット変換された後、４→１選択部３１〜３４に供給され、選択部で予め設定された優先順位のコンポーネント信号が選択される。合成部３５、３６及び３７は、入力端子Ａに入力された信号を入力端子Ｂに入力された信号よりも優先して出力する。合成部３７からは最も優先順位の高いところまで合成した４：４：４コンポーネント信号が出力され、合成部３６からはその次に順位の高いところまで合成した４：４：４コンポーネント信号及びイネーブル信号が出力される。【選択図】            図４
2007074526.tif 000002
【特許請求の範囲】
【請求項１】
Ｍ個（Ｍは３以上の整数）の入力映像信号を画像合成処理して、１つの合成映像信号を生成出力する画像処理装置において、
輝度信号と、２つの色差信号を順次多重してなる順次色差信号との計２信号からなる前記各入力映像信号を、前記輝度信号に基づく新たな輝度信号と、前記順次色差信号に基づく新たな２つの色差信号との計３信号からなる変換映像信号にデータフォーマット変換して出力するＭ個のデータ変換手段と、
Ｍ個の前記データ変換手段からそれぞれ供給されるＭ個の前記変換映像信号が同時に入力されたときには、Ｍ個の前記入力映像信号に対して予め定められた１〜Ｍの優先順位（数が大きい方を優先順位が高いとする）に従って、より高い順位の前記入力映像信号に係る前記変換映像信号を優先して画像表示するように、Ｍ個の前記変換映像信号を画像合成処理して、１つの合成映像信号を生成する合成手段と
を有することを特徴とする画像処理装置。
【請求項２】
前記合成手段は、
Ｍ個の前記データ変換手段から出力されたＭ個の前記変換映像信号を入力として受け、予め定められた前記優先順位の前記入力映像信号に係る前記変換映像信号を１つ選択して出力するＭ個の選択手段と、
第１及び第２の入力端子を有し、この２つの入力端子のそれぞれに入力される信号を合成する手段であり、前記第１の入力端子に入力される信号を前記第２の入力端子に入力される信号よりも常に優先して出力されるように合成する（Ｍ−１）個の合成部とよりなり、
（Ｍ−１）個の前記合成部の第１の入力端子には、Ｍ個の前記選択手段のうち、前記優先順位が２〜Ｍの前記入力映像信号に係る前記変換映像信号を出力する（Ｍ−１）個の前記選択手段の出力信号が入力され、
（Ｍ−１）個の前記合成部のうち、前記優先順位が２の前記入力映像信号に係る前記変換映像信号を出力する前記選択手段の出力が前記第１の入力端子に入力される前記合成部の前記第２の入力端子には、前記優先順位が１の前記入力映像信号に係る前記変換映像信号を出力する前記選択手段の出力が入力され、
（Ｍ−１）個の前記合成部のうち、前記優先順位が３以上の前記入力映像信号に係る前記変換映像信号を出力する前記選択手段の出力が前記第１の入力端子に入力される前記合成部の前記第２の入力端子には、それぞれの前記選択手段の前記第１の入力端子に入力されている前記変換映像信号の変換前の入力映像信号の前記優先順位よりも低い優先順位の前記入力映像信号に係る前記変換映像信号を合成する前記合成部の出力が入力される、
ことを特徴とする請求項１記載の画像処理装置。
【請求項３】
前記合成手段は、
Ｍ個の前記データ変換手段から出力されたＭ個の前記変換映像信号を入力として受け、予め定められた前記優先順位の前記入力映像信号に係る前記変換映像信号を１つ選択して出力するＭ個の選択手段と、
第１及び第２の入力端子を有し、この２つの入力端子のそれぞれに入力される映像信号を合成する手段であり、前記第１の入力端子に入力される映像信号と前記第２の入力端子に入力される映像信号とを、予め定めた比率で加算合成する（Ｍ−１）個の合成部とよりなり、
（Ｍ−１）個の前記合成部の第１の入力端子には、Ｍ個の前記選択手段のうち、前記優先順位が２〜Ｍの前記入力映像信号に係る前記変換映像信号を出力する（Ｍ−１）個の前記選択手段の出力信号が入力され、
（Ｍ−１）個の前記合成部のうち、前記優先順位が２の前記入力映像信号に係る前記変換映像信号を出力する前記選択手段の出力が前記第１の入力端子に入力される前記合成部の前記第２の入力端子には、前記優先順位が１の前記入力映像信号に係る前記変換映像信号を出力する前記選択手段の出力が入力され、
（Ｍ−１）個の前記合成部のうち、前記優先順位が３以上の前記入力映像信号に係る前記変換映像信号を出力する前記選択手段の出力が前記第１の入力端子に入力される前記合成部の前記第２の入力端子には、それぞれの前記選択手段の前記第１の入力端子に入力されている前記変換映像信号の変換前の入力映像信号の前記優先順位よりも低い優先順位の前記入力映像信号に係る前記変換映像信号を合成する前記合成部の出力が入力される、
ことを特徴とする請求項１記載の画像処理装置。
【発明の詳細な説明】
【技術分野】
【０００１】
本発明は画像処理装置に係り、特にテレビジョン信号やパソコン信号などの各種画像信号を表示するディスプレイ装置やテレビジョン受像機等に用い、任意にアスペクト比等を変換して、複数の信号を合成して表示する機能を有する画像処理装置に関する。
【背景技術】
【０００２】
従来の地上波のアナログ放送方式では、一つのチャンネルで一つの番組を放送しているため、単一の受信装置から送出される受信信号は、１種類のフォーマットのみであり、１系統の画像処理があれば、画質改善、解像度変換、画像の拡大・縮小などの画像処理を行うことができた。例えば、単一の受信装置において、ＳＤＴＶ（Standard Definition Television）のアスペクト比４：３の受信画像信号を、ＨＤＴＶ（High Definition Television）のアスペクト比１６：９の画像信号に変換するようなアスペクト比変換を実現するためには、画像を拡大・縮小するための画像処理装置が必要となる。
【０００３】
しかし、ＢＳデジタル放送や地上波デジタル放送では、図７に示すように、一つのチャンネルである時間帯ではハイビジョン放送（ＨＤＴＶ）とデータ放送と携帯向け放送とを同時に送信し、次の時間帯では２種類の標準画質放送（ＳＤＴＶ）とデータ放送と携帯向け放送とを同時に送信し、更に次の時間帯では再びハイビジョン放送（ＨＤＴＶ）とデータ放送と携帯向け放送とを同時に送信するなどのように、一つのチャンネルで複数の番組を同時に放送することができる。このため、これまでの地上波アナログ放送では考えられなかったアイデア豊かな、多様な放送が期待されている。
【０００４】
以上の背景を考慮すると、複数のコンテンツ画像、あるいは、異なるフォーマットの画像が複数ある場合、例えば、図８に示すように、それら複数の画像を合成して一画面で表示するケースが想定できる。ここで、図８は４つのコンテンツの画像１０１、１０２、１０３及び１０４が合成されており、画像１０１が画像１０３と１０４の手前になるように合成されている。このような複数の動画像を合成して一画面で表示する装置は、従来から知られている（例えば、特許文献１参照）。
【０００５】
【特許文献１】特許第２６２５４８２号
【発明の開示】
【発明が解決しようとする課題】
【０００６】
しかしながら、図８に示したように、画像１０１が画像１０３及び画像１０４に重なり合ったような表示を行う場合は、複数の画像間での切り換え品位と画像の優先順位の制御が問題となる。すなわち、切り換え品位の課題について説明するに、通常は、回路規模や処理の簡易化により、画像信号は輝度信号Ｙのサンプリング周波数に対して、２種類の色差信号（Ｂ−Ｙ）と（ＲーＹ）の各サンプリング周波数がそれぞれ１／２倍である、４：２：２のコンポーネント信号形式で、図９（Ａ）に示す輝度信号の信号系統と、同図（Ｂ）に示す２種類の色差信号が点順次で時系列的に合成された信号系統の計２系統で信号処理が施される。
【０００７】
このとき、例えば、図９（Ｃ）に模式的に示すように、輝度信号がＹ６からＹ７に遷移する直前のタイミングで画面の切り換えが行われた場合、上記の切り換えに対応して色差信号（Ｂ−Ｙ）６から色差信号（Ｒ−Ｙ）６に遷移する直前のタイミングで画面の切り換えが行われるため、本来色差信号（Ｂ−Ｙ）６と対で処理されるべき色差信号（Ｒ−Ｙ）６が失われ、その結果、切り換え境界の色が劣化するという、切り換え品位の課題がある。
【０００８】
また、複数の画像入力を想定した場合には、複数の画像間で表示の優先順位をつける必要があるが、３つ以上の画像の優先順位をつける場合、各単独の３つ以上の画像信号と、３つ以上の画像信号のうちの複数の画像信号を合成した合成画像信号を生成して用意して、その組合せで優先順位を指定すると共に画像を切り換えるなどのような処理のための制御回路が必要となり、順位の指定と制御回路が煩雑になる。
【０００９】
本発明は以上の点に鑑みなされたもので、簡単な構成により、複数の画像の表示の切り換え品位の向上した画像処理を行い得る画像処理装置を提供することを目的とする。
【課題を解決するための手段】
【００１０】
上記の目的を達成するため、第１の発明は、Ｍ個（Ｍは３以上の整数）の入力映像信号を画像合成処理して、１つの合成映像信号を生成出力する画像処理装置において、輝度信号と、２つの色差信号を順次多重してなる順次色差信号との計２信号からなる各入力映像信号を、輝度信号に基づく新たな輝度信号と、順次色差信号に基づく新たな２つの色差信号との計３信号からなる変換映像信号にデータフォーマット変換して出力するＭ個のデータ変換手段と、Ｍ個のデータ変換手段からそれぞれ供給されるＭ個の変換映像信号が同時に入力されたときには、Ｍ個の入力映像信号に対して予め定められた１〜Ｍの優先順位（数が大きい方を優先順位が高いとする）に従って、より高い順位の入力映像信号に係る変換映像信号を優先して画像表示するように、Ｍ個の変換映像信号を画像合成処理して、１つの合成映像信号を生成する合成手段とを有することを特徴とする。
【００１１】
この発明では、それぞれ輝度信号と順次色差信号からなる入力映像信号に対して、入力映像信号中の輝度信号に基づく新たな輝度信号と、順次色差信号に基づく新たな２つの色差信号とからなる計３信号（計３系統の映像信号）からなる変換映像信号にデータフォーマット変換を行った後、それら３信号を優先順位順で時系列的に合成して１つの合成映像信号を生成するようにしたため、時系列的に合成する際に、Ｍ個のデータフォーマット後の映像信号をどのタイミングで切り取って合成しても、常に２種類の色差信号はペアで合成することができる。
【００１２】
また、上記の目的を達成するため、第２の発明は、上記の第１の発明における合成手段を、Ｍ個のデータ変換手段から出力されたＭ個の変換映像信号を入力として受け、予め定められた優先順位の入力映像信号に係る変換映像信号を１つ選択して出力するＭ個の選択手段と、第１及び第２の入力端子を有し、この２つの入力端子のそれぞれに入力される信号を合成する手段であり、第１の入力端子に入力される信号を第２の入力端子に入力される信号よりも常に優先して出力されるように合成する（Ｍ−１）個の合成部とよりなる構成とし、
（Ｍ−１）個の合成部の第１の入力端子には、Ｍ個の選択手段のうち、優先順位が２〜Ｍの入力映像信号に係る変換映像信号を出力する（Ｍ−１）個の選択手段の出力信号が入力され、（Ｍ−１）個の合成部のうち、優先順位が２の入力映像信号に係る変換映像信号を出力する選択手段の出力が第１の入力端子に入力される合成部の第２の入力端子には、優先順位が１の入力映像信号に係る変換映像信号を出力する選択手段の出力が入力され、（Ｍ−１）個の合成部のうち、優先順位が３以上の入力映像信号に係る変換映像信号を出力する選択手段の出力が第１の入力端子に入力される合成部の第２の入力端子には、それぞれの選択手段の第１の入力端子に入力されている変換映像信号の変換前の入力映像信号の優先順位よりも低い優先順位の入力映像信号に係る変換映像信号を合成する合成部の出力が入力されることを特徴とする。この発明では、Ｍ個のデータフォーマット変換後の変換映像信号は、複雑な優先順位の指定や制御を行わなくても、優先順位の高い映像信号ほど優先して出力されるようにできる。
【００１３】
また、上記の目的を達成するため、第３の発明は、上記の第１の発明における合成手段を、Ｍ個のデータ変換手段から出力されたＭ個の変換映像信号を入力として受け、予め定められた優先順位の入力映像信号に係る変換映像信号を１つ選択して出力するＭ個の選択手段と、第１及び第２の入力端子を有し、この２つの入力端子のそれぞれに入力される映像信号を合成する手段であり、第１の入力端子に入力される映像信号と第２の入力端子に入力される映像信号とを、予め定めた比率で加算合成する（Ｍ−１）個の合成部とよりなる構成とし、
（Ｍ−１）個の合成部の第１の入力端子には、Ｍ個の選択手段のうち、優先順位が２〜Ｍの入力映像信号に係る変換映像信号を出力する（Ｍ−１）個の選択手段の出力信号が入力され、（Ｍ−１）個の合成部のうち、優先順位が２の入力映像信号に係る変換映像信号を出力する選択手段の出力が第１の入力端子に入力される合成部の第２の入力端子には、優先順位が１の入力映像信号に係る変換映像信号を出力する選択手段の出力が入力され、（Ｍ−１）個の合成部のうち、優先順位が３以上の入力映像信号に係る変換映像信号を出力する選択手段の出力が第１の入力端子に入力される合成部の第２の入力端子には、それぞれの選択手段の第１の入力端子に入力されている変換映像信号の変換前の入力映像信号の優先順位よりも低い優先順位の入力映像信号に係る変換映像信号を合成する合成部の出力が入力されることを特徴とする。この発明では、Ｍ個のデータフォーマット変換後の変換映像信号は、複雑な優先順位の指定や制御を行わなくても、優先順位の高い映像信号ほど優先して他の映像信号に合成されて出力されるようにできる。
【発明の効果】
【００１４】
本発明によれば、それぞれ輝度信号と順次色差信号からなる入力映像信号に対して、入力映像信号中の輝度信号に基づく新たな輝度信号と、順次色差信号に基づく新たな２つの色差信号とからなる計３信号からなる変換映像信号にデータフォーマット変換を行った後、それら３信号を優先順位順で時系列的に合成して１つの合成映像信号を生成することにより、合成の際に変換映像信号をどのタイミングで切り取って合成しても、常に２つの（２種類の）色差信号はペアで合成することができるため、切り取りのタイミングによって、本来ペアとなるべき２つの色差信号の一方が失われて切り換え境界の色が劣化するという問題を解消できる。
【００１５】
また、本発明によれば、Ｍ個の変換映像信号が入力される（Ｍ−１）個の合成部を接続することにより、Ｍ個の変換映像信号のうち、優先順位の高い映像信号ほど優先して出力するか、又は他の映像信号に合成されて出力されるようにしたため、複雑な優先順位の指定や制御を行わなくてもよく、複数の映像信号の合成制御の容易化を実現できる。
【発明を実施するための最良の形態】
【００１６】
次に、本発明の実施の形態について図面と共に説明する。図１は本発明になる画像処理装置の一実施の形態のブロック図を示す。本実施の形態は、２以上の整数であるＮ系統の入力映像信号に対して個別にフレーム数変換、解像度変換、クロック変換、リサイズなどの処理を行い、処理後のコンポーネント信号を、表示したい画像領域（切り出したい領域）を指示するイネーブル信号と共に出力する画像処理ブロック１１〜１Ｎと、画像処理ブロック１１〜１Ｎの各出力コンポーネント信号に対して個別にデータ変換を行うデータ変換器２１〜２Ｎと、データ変換器２１〜２Ｎの各出力映像信号を選択的に合成する選択合成回路３と、選択合成回路３の出力合成映像信号に対して画像リサイズ処理を行う画像リサイズブロック４と、画像リサイズされた合成映像信号と画像リサイズされていない合成映像信号とを合成して最終的な合成映像信号を出力する合成回路５とから構成されている。
【００１７】
この本実施の形態の画像処理装置の動作について説明する。Ｎ個のコンテンツの映像信号を別々に画像処理するには、Ｎ系統の画像処理ブロック１１〜１Ｎが必要となる。この画像処理ブロック１１〜１Ｎには、画像処理前のあるいは既に画像処理されたＮ系統の映像信号がそれぞれ入力され、ここでフレーム数変換、解像度変換、クロック変換、リサイズなどの処理のための公知の水平処理と公知の垂直処理がなされる。水平処理としては、例えば、本発明者が特開２００３−４６９０５号公報にて開示した映像信号処理装置による処理を行い、垂直処理としては、例えば、本発明者が特開２００４−２９７５００号公報にて開示した映像信号処理装置による処理を行う。
【００１８】
上記の特開２００３−４６９０５号公報記載の水平処理とは、例えば、映像信号を所定単位（１画素又は１ライン）で複数個のメモリに巡回的に順次に書き込んだ後、複数個のメモリのうち読み出しを開始すべきメモリから順番に複数個の映像データを読み出し、その読み出しデータを、水平方向の縮小又は拡大率に応じて補間係数発生手段により発生された補間係数が入力される複数タップの補間フィルタに供給し、その補間フィルタから縮小又は拡大された出力データを出力するような処理である。
【００１９】
また、上記の特開２００４−２９７５００号公報記載の垂直処理とは、例えば、映像信号を１ラインを単位として複数単位、画像メモリに蓄積し、その画像メモリからｎ／２（ｎは２以上の整数）以下の単位データを読み出してデータセレクト回路に入力し、データセレクト回路から制御信号に基づいて選択した単位データをｎ個のラインメモリに蓄積した後、ｎ個のラインメモリから同時に読み出されたｎ個の単位データを補間フィルタに供給し、その補間フィルタでｎ個の補間係数を用いてフィルタリングすることにより垂直方向に拡大又は縮小された出力データを出力するような処理である。
【００２０】
なお、上記の水平処理及び垂直処理は一例であり、画像処理ブロック１１〜１Ｎからは拡大又は縮小されていない映像信号が取り出されることもある。ただし、ここでは画像処理ブロック１１〜１Ｎからは入力映像信号が、画像処理されて４：２：２コンポーネント信号として出力されると共に、処理後の映像信号の画像のうち表示すべき画像領域（切り出したい領域あるいは枠）を指示するイネーブル信号ＥＮと共に出力されるものとする。また、処理後の映像信号のアスペクト比は４：３であるものとする。
【００２１】
画像処理ブロック１１〜１Ｎから出力された処理後の４：２：２コンポーネント信号及びイネーブル信号ＥＮは、１対１に対応して設けられたデータ変換器２１〜２Ｎに供給されてデータ変換される。データ変換器２１〜２Ｎのそれぞれは、例えば、図２に示すように、４：２：２／４：４：４変換器２０１及び遅延調整器２０２からなる構成とされている。
【００２２】
４：２：２／４：４：４変換器２０１は、対応する画像処理ブロックから供給された、図３（Ａ）に示す４：２：２コンポーネント信号を構成する輝度信号Ｙと、同図（Ｂ）に示す点順次色差信号Ｂ−Ｙ／Ｒ−Ｙとを入力として受け、４：４：４コンポーネント信号に変換して出力する。ここで、４：４：４コンポーネント信号は、図３（Ｄ）に示す輝度信号Ｙ、同図（Ｅ）に示す色差信号（Ｂ−Ｙ）、同図（Ｆ）に示す色差信号（Ｒ−Ｙ）とからなり、各々同一のサンプリング周波数であり、互いに並列に伝送される。なお、図３（Ｅ），（Ｆ）中、ダッシュをつけた色差信号は、入力点順次色差信号Ｂ−Ｙ／Ｒ−Ｙ中の、１画素おきに隣接する同種の２つの色差信号を加算して１／２倍して生成した信号であることを示す。
【００２３】
また、遅延調整器２０２は、対応する画像処理ブロックから供給された、図３（Ｃ）に示すイネーブル信号ＥＮに対して、４：２：２／４：４：４変換器２０１による輝度信号及び色差信号の時間遅れ分との時間合わせのための遅延調整を行って、そのまま同図（Ｇ）に示すイネーブル信号ＥＮとして出力する。
【００２４】
これにより、図３（Ｃ）によるイネーブル信号ＥＮにより輝度信号がＹ６からＹ７に遷移する直前のタイミングで画面の切り換えが行われるような、従来は一方の色差信号の情報が失われる場合であっても、本実施の形態では、同図（Ｅ）、（Ｆ）で示すように、色差信号（Ｂ−Ｙ）及び（Ｒ−Ｙ）は一対で並列伝送されるために、次の選択合成回路３において、どの切り取り位相（水平）でも色欠けすることはなく、同図（Ｇ）に示すイネーブル信号ＥＮに基づいて、コンポーネント信号を任意のタイミングで切り取ることが可能となる。
【００２５】
それぞれ図２の構成のデータ変換器２１〜２Ｎから並列に出力された４：４：４コンポーネント信号とイネーブル信号とは、図１に示す選択合成回路３に供給される。選択合成回路３は、例えば図４に示すブロック図の構成とされている。なお、図４では図示の便宜上、Ｎ＝４としている。図４に示すように、選択合成回路３は、データ変換器２１〜２４から各々並列に出力された４系統の４：４：４コンポーネント信号とイネーブル信号とを入力として受け、選択設定信号に基づいて、１系統の４：４：４コンポーネント信号とイネーブル信号とを選択出力する４→１選択部３１〜３４と、４→１選択部３３及び３４から出力された信号を合成する合成部３５と、４→１選択部３２及び合成部３５から出力された信号を合成する合成部３６と、４→１選択部３１及び合成部３６から出力された信号を合成する合成部３７とから構成されている。
【００２６】
すなわち、選択合成回路３は、まず、予め優先順位を考慮して、４→１選択部３１〜３４により４系統の４：４：４コンポーネント信号とイネーブル信号を選択し、その後３つの合成部３５、３６及び３７により信号の合成を行う。ここで、４→１選択部３１は、最優先して出力される４：４：４コンポーネント信号とイネーブル信号とを選択し、４→１選択部３２は、２番目の優先順の４：４：４コンポーネント信号とイネーブル信号とを選択し、４→１選択部３３は、３番目の優先順の４：４：４コンポーネント信号とイネーブル信号とを選択し、４→１選択部３４は、最も優先順の低い画像となる４：４：４コンポーネント信号とイネーブル信号とを選択する。なお、上記の優先順の設定及び切り出し領域を定めるイネーブル信号はユーザによって任意に設定される。
【００２７】
合成部３５、３６及び３７は入力端子Ａ及びＢを有し、入力端子Ａに入力された信号を入力端子Ｂに入力された信号よりも優先して出力するような信号合成を行う回路であり、このため自動的に優先順位に従って合成することになる。例えば、合成部３５〜３７のうちの任意の合成部の入力端子Ａに入力される、ある一系統のコンポーネント信号（データ）とイネーブル信号ＥＮが、それぞれ図５（Ａ）、（Ｂ）に示されるものとし、かつ、その合成部の入力端子Ｂに入力される、別の一系統のコンポーネント信号（データ）とイネーブル信号ＥＮが、それぞれ図５（Ｃ）、（Ｄ）に示されるものとする。
【００２８】
この場合、最初は図５（Ｃ）に示す入力端子Ｂの入力コンポーネント信号ｂ１のみが入力され、信号ｂ１の終り付近で図５（Ａ）に示す入力端子Ａの入力コンポーネント信号ａ１が入力されるので、合成部からは図５（Ｅ）に示すように、信号ａ１が入力されるまでの信号ｂ１部分に相当する信号ｂ１’と、信号ａ１とが時系列的に合成されて出力される。
【００２９】
続いて、図５（Ｃ）に示す入力端子Ｂの入力コンポーネント信号ｂ２のみが入力され、信号ｂ２の終り付近で図５（Ａ）に示す入力端子Ａの入力コンポーネント信号ａ２が入力されるので、合成部からは図５（Ｅ）に示すように、信号ａ２が入力されるまでの信号ｂ２部分に相当する信号ｂ２’と、信号ａ２とが時系列的に合成されて出力される。
【００３０】
また、合成部は入力端子Ａ、Ｂに入力されるイネーブル信号ＥＮが、図５（Ｂ）、（Ｄ）に示すように、一部重複して入力されるため、同図（Ｆ）に示すような合成したイネーブル信号ＥＮを出力する。このように、合成部３５〜３７は、入力端子Ａ及びＢのうち、入力端子Ａに信号入力が無く、入力端子Ｂのみに信号入力があるときは入力端子Ｂの入力信号を出力し、入力端子Ａ及びＢの両方に同時に信号入力があるとき、あるいは入力端子Ａのみに信号入力があるときは、入力端子Ａの入力信号を優先して出力することで、入力信号の時系列的な合成を行う。
【００３１】
なお、図５（Ａ）、（Ｃ）、（Ｅ）は厳密には４：４：４コンポーネント信号を構成する一の信号（輝度信号又は色差信号（ＲーＹ）又は（Ｂ−Ｙ））を示しているが、他の信号についても同様の合成が行われる。
【００３２】
上記の合成部３５〜３７により、合成部３７からは４→１選択部３１から出力された、最優先の４：４：４コンポーネント信号とイネーブル信号とが優先して出力され、４→１選択部３１からの信号が無く、合成部３６の出力信号があるときは、合成部３６の出力信号が出力されるため、合成部３７からは最優先の４：４：４コンポーネント信号がイネーブル信号と共に出力される。後述するように、この最優先の４：４：４コンポーネント信号はピクチャ・イン・ピクチャ画像を画面に表示する際の、親画面（主画面）の画像となる。
【００３３】
また、合成部３６からは４→１選択部３２から出力された、２番目の優先順の４：４：４コンポーネント信号とイネーブル信号とが優先して出力され、４→１選択部３２からの信号が無く、合成部３５から出力される４→１選択部３３又は３４の出力信号があるときは、合成部３５の出力信号が出力されるため、合成部３６からは２番目の優先順の４：４：４コンポーネント信号がイネーブル信号と共に出力される。後述するように、この２番目の優先順の４：４：４コンポーネント信号はピクチャ・イン・ピクチャ画像を画面に表示する際の、子画面の画像となる。
【００３４】
このようにして、選択合成回路３からは、最も優先順位の高いところまで合成した１系統の４：４：４コンポーネント信号及びイネーブル信号からなるデータ系と、その次に順位の高いところまで合成した１系統の４：４：４コンポーネント信号及びイネーブル信号からなるデータ系が出力され、最も優先順位の高いデータ系は、パノラマ表示などの非線形変換などの処理のために、図１の画像リサイズブロック４へ送出され、その次に順位の高いところまで合成したデータ系は合成回路５へ直接に供給される。
【００３５】
画像リサイズブロック４は、パノラマ表示などの非線形変換などの処理を行うが、ここでは入力される４：４：４コンポーネント信号のアスペクト比を４：３から１６：９とする変換を行う。合成回路５は画像リサイズブロック４から出力されたアスペクト比１６：９の４：４：４コンポーネント信号と、選択合成回路３から出力された２番目以降の優先順のアスペクト比４：３の４：４：４コンポーネント信号とを、入力イネーブル信号を合成したイネーブル信号により切り換えて、時系列的に合成された４：４：４コンポーネント信号を出力する。
【００３６】
上記の合成回路５から出力された合成コンポーネント信号は、図示しない表示装置に供給され、ここで所定の表示処理が施されてその画面に表示される。これにより、表示装置の画面には、図６に示すように、画像リサイズブロック４によりアスペクト比が１６：９に非線形処理された最優先の主画面のカラー画像６１と、画像リサイズブロック４による非線形処理されていない２番目以降の優先順のアスペクト比４：３の子画面のカラー画像６２とが合成された、ピクチャ・イン・ピクチャ（子画面を主画面の中に表示する形態）画像が表示される。主画面のカラー画像６１と、子画面のカラー画像６２との境界部分には４：４：４コンポーネント信号を切り換えているので色欠落が発生することはなく、また子画面となる信号には非線形処理を行っていないので、歪の無い子画面表示が実現できる。
【００３７】
このように、本実施の形態によれば、入力される映像信号である４：２：２コンポーネント信号を４：４：４コンポーネント信号にデータフォーマットを変換することで、画像合成のための切り換えタイミングによっては２種類の色差信号のペアとなるべき一方の色差信号が欠落することがあるという切り換え品位の課題、及び３つ以上の入力映像信号に対しては、予め優先順位を決定し、その優先順位に従って合成処理を行うことにより、制御の容易さを実現でき、簡単な構成で、複数の入力画面を表示することが可能となる。
【００３８】
なお、本発明は上記の実施の形態に限定されるものではなく、上記の実施の形態では、ピクチャ・イン・ピクチャ画像を表示するものとして説明したが、選択合成回路３での４系統のコンポーネント信号の選択と合成処理により、図８に示したような合成画像を表示させることもできる。図８では、画像１０１が最優先の画像である。以上の処理は、表示の形態に合わせて適宜処理するものとする。
【００３９】
また、図４に示した合成部３５〜３７は、実施の形態のように単なる切り換えではなく、入力端子Ａ及びＢの各入力信号を予め定めた比率で混合して出力するような回路構成としてもよく、この場合は、２つの入力信号の混合が可能になる。
【図面の簡単な説明】
【００４０】
【図１】本発明の一実施の形態のブロック図である。
【図２】図１中のデータ変換器の一実施の形態の構成図である。
【図３】図２のデータ変換器の動作説明用タイミングチャートである。
【図４】図１中の選択合成回路の一実施の形態の構成図である。
【図５】図４の選択合成回路の動作説明用タイミングチャートである。
【図６】本発明の一実施の形態による表示形態の一例を示す図である。
【図７】一つのチャンネルで伝送される複数の情報の例を示す図である。
【図８】合成画像の一例を示す図である。
【図９】従来回路の一課題の説明図である。
【符号の説明】
【００４１】
１１〜１Ｎ  画像処理ブロック
２１〜２Ｎ  データ変換器
３  選択合成回路
４  画像リサイズブロック
５  合成回路
３１〜３４  ４→１選択部
３５〜３７  合成部
２０１  ４：２：２／４：４：４変換器
２０２  遅延調整器
【図１】
2007074526.tif 000003
【図２】
2007074526.tif 000004
【図３】
2007074526.tif 000005
【図４】
2007074526.tif 000006
【図５】
2007074526.tif 000007
【図６】
2007074526.tif 000008
【図７】
2007074526.tif 000009
【図８】
2007074526.tif 000010
【図９】
2007074526.tif 000011